(57)【要約】【課題】少量の内容液を小分けにして噴霧できる定量シリンジ型噴出容器を提供する。【解決手段】定量噴出容器1は、内容液が充填される噴出部10と操作部50とを備える。操作部50は、シリンジ51とシリンジ51内に配置されて噴出部19の噴出動作を生起させる操作用シャフト52を備える。操作シャフト52はピン部材を有し、シリンジ51は、ピン部材54を貫通させるとともに案内するクランク55を有する。クランク55は、操作シャフト52の押込み方向に伸びる第1押込み経路55aと、第1押込み経路55aに通じる迂回経路55bと、迂回経路55bに通じて操作シャフト52の押込み方向に伸びる第2押込み経路55cとを有するものである。【選択図】図１
2014129130.tif 000002
【特許請求の範囲】
【請求項１】
使用者によって操作される操作部と、内容液が充填される噴出部とを備え、
前記操作部は、シリンジと、シリンジ内に配置されて噴出部の噴出動作を生起させる操作用シャフトを備え、
操作用シャフトは、横向きに突出するピン部材を有し、
シリンジは、ピン部材を貫通させるとともに当該ピン部材を案内するクランクを有し、
クランクは、少なくとも、操作用シャフトの押込み方向に伸びる第１押込み経路と、第１押込み経路に通じてシリンジの軸線周りに伸びる迂回経路と、迂回経路に通じて操作用シャフトの押込み方向に伸びる第２押込み経路とを有するものである、定量シリンジ型噴出容器。
【請求項２】
請求項１において、クランクは、第１及び第２押込み経路の少なくとも一方の押込み開始側に、ピン部材が乗り越え可能に引っ掛かる隆起部を有するものである、定量シリンジ型噴出容器。
【請求項３】
請求項２において、前記隆起部が弾性片である、定量シリンジ型噴出容器。
【請求項４】
請求項１乃至３のいずれか１項において、クランクは、迂回経路に、ピン部材を第１押込み経路に案内する傾斜部を有するものである、定量シリンジ型噴出容器。
【請求項５】
請求項１乃至４のいずれか１項において、ピン部材は指当て部を有するものである、定量シリンジ型噴出容器。
【発明の詳細な説明】
【技術分野】
【０００１】
本発明は、シリンジに充填した内容液を小分けにして噴出させることができる定量シリンジ型噴出容器に関するものである。
【背景技術】
【０００２】
シリンジ型噴出容器としては、シリンジ内に操作用シャフト（プランジャ）を押し込んで薬液などの内容液を噴出させるものがある（例えば、特許文献１参照）。
【先行技術文献】
【特許文献】
【０００３】
【特許文献１】特開平７−２１３６１２号公報
【発明の概要】
【発明が解決しようとする課題】
【０００４】
しかしながら、従来のシリンジ型噴出容器は、シリンジ内に操作用シャフトを押し込むにすぎないため、内容液を小分けにして噴出することが困難であった。
【０００５】
本発明の目的とするところは、少量の内容液であっても小分けにして内容液を噴出させることができる、新規な定量シリンジ型噴出容器を提供することにある。
【課題を解決するための手段】
【０００６】
本発明の定量シリンジ型噴出容器は、使用者によって操作される操作部と、内容液が充填される噴出部とを備え、
前記操作部は、シリンジと、シリンジ内に配置されて噴出部の噴出動作を生起させる操作用シャフトを備え、
操作用シャフトは、横向きに突出するピン部材を有し、シリンジは、ピン部材を貫通させるとともに当該ピン部材を案内するクランクを有し、クランクは、少なくとも、操作用シャフトの押込み方向に伸びる第１押込み経路と、第１押込み経路に通じて操作用シャフトの軸線周りに伸びる迂回経路と、迂回経路に通じてシリンジの押込み方向に伸びる第２押込み経路とを有するものである。
【０００７】
本発明では、クランクは、第１及び第２押込み経路の少なくとも一方の押込み開始側に、ピン部材が乗り越え可能に引っ掛かる隆起部を有するものとすることができる。この隆起部は弾性片として構成することができる。またクランクは迂回経路に、ピン部材を第１押込み経路に案内する傾斜部を有するものとすることができる。
【０００８】
本発明では、ピン部材は、指当て部を有するものとすることができる。
【発明の効果】
【０００９】
本発明の定量シリンジ型噴出容器では、操作部の操作用シャフトを押し込むことで、ピン部材がシリンジに形成したクランクの第１の押込み経路に沿って移動することで、操作用シャフトの押し込みが可能になる。このため、噴出部からは、第１押込み経路の終点まで、１回目の噴出が可能になる。
【００１０】
次いで、押し込みを解除してピン部材を操作用シャフトの軸線周りに回転させることにより、当該ピン部材を第２押込み経路に移動させれば、第２の押込み経路の終点まで再び操作用シャフトの押し込みが可能になる。すなわち、操作用シャフトの押込みを解除してピン部材を回転させたのち、再び操作用シャフトを押し込めば、２回目の噴出が可能になる。
【００１１】
上述のように、本発明によれば、少量の内容液であっても小分けにして内容液を噴出させることができる。
【図面の簡単な説明】
【００１２】
【図１】本発明の第１実施形態である、定量シリンジ型噴出容器を示す側面図である。
【図２】同定量シリンジ型噴出容器を示す断面図である。
【図３】（ａ）は同定量シリンジ型噴出容器を示す一部拡大断面図であり、（ｂ）は（ａ）の一部拡大図である。
【図４】同定量噴出容器から内容液を噴霧した状態を示す一部拡大断面図である。
【図５】第１実施形態に係るスピンエレメントを模式的に示す斜視図である。
【図６】本発明の第２実施形態である、定量シリンジ型噴出容器を示す側面図である。
【図７】同定量シリンジ型噴出容器を示す断面図である。
【図８】（ａ）は本発明の第１実施形態に係るクランクおよびピン部材を模式的に示す拡大側面図であり、（ｂ）は本発明の第２実施形態に係るクランクおよびピン部材を模式的に示す拡大側面図であり、（ｃ）は本発明の第３実施形態に係るクランクおよびピン部材を模式的に示す拡大側面図であり、さらに（ｄ）は本発明の第４実施形態に係るクランクおよびピン部材を模式的に示す拡大側面図である。
【図９】（ａ）は図７のＸ−Ｘ断面図であり、（ｂ）は本発明の第３実施形態に係る指当て部を例示するための上記Ｘ−Ｘ断面に相当する断面図である。
【発明を実施するための形態】
【００１３】
以下、図面を参照して、本発明である、定量シリンジ型噴出容器の様々な実施形態を詳細に説明する。
【００１４】
図１中、符号１は、本発明の第１実施形態である、定量シリンジ型噴出容器（以下、単に「定量噴出容器」ともいう）である。定量噴出容器１は、使用者によって操作される操作部５０と、噴出部１０を備える。
【００１５】
操作部５０は、弾性変形が可能な、例えば合成樹脂製のシリンジ５１を有する。シリンジ５１は、図２に示すように、中空の胴部５１ａの一端に環状の肩部５１ｂが形成されている。シリンジ５１は、肩部５１ｂを介して胴部５１ａよりも小径の先端筒部５１ｃが一体に設けられている。先端筒部５１ｃの内側には、胴部５１ａの内側に形成された空間に通じる内部通路が形成されている。また、シリンジ５１には、先端筒部５１ｃを取り囲む装着筒部５１ｄが設けられている。さらに、シリンジ５１には、指掛け部５１ｅが設けられている。
【００１６】
また操作部５０は、例えば金属や合成樹脂からなる操作用シャフト５２を有する。操作用シャフト５２は、シリンジ５１の内側にスライド可能に収納される本体５２ａと、使用者からの押し込み力を受ける押圧部５２ｂを有する。さらに、本体５２ａの先端には、プランジャロッド５３が設けられている。プランジャロッド５３の先端側は、シリンジ５１の先端筒部５１ｃの内側に配置される。これにより、使用者がシリンジ５１の指掛け部５１ｅに指を掛けて操作用シャフト５２を押し込むことで、プランジャロッド５３は、先端筒部５１ｃから突出させることができる。なお、プランジャロッド５３は、操作用シャフト５２に対して一体又は別体に設けることができる。
【００１７】
加えて、操作用シャフト５２は、本体５２ａに横向きに、すなわち、軸線Ｏに対して径方向に突出するピン部材５４を有する。ピン部材５４は、操作用シャフト５２に対して一体に設けられている。本実施形態では、ピン部材５４の外観形状は、丸棒として形成されているが、角材状のものなど、軸状に形成されるものであれば、その外観形状は問わない。
【００１８】
さらに、シリンジ５１は、胴部５１ａにクランク５５を有する。クランク５５は、図示のように、胴部５１ａを貫通するスリットとして形成されている。ピン部材５４は、指掛け部５１ｅを貫通してクランク５５に沿って移動することができる。これにより、クランク５５はピン部材５４を案内する。
【００１９】
本実施形態では、クランク５５は、第１押込み経路５５ａを有する。第１押込み経路５５ａは、操作用シャフト５２の押込み方向に、すなわち、シリンジ５１の軸線Ｏ（以下、「軸線Ｏ」という）に沿って伸びることで、操作用シャフト５２の押し込みを可能にする。本実施形態ではさらに、第１押込み経路５５ａは、図示のように指掛け部５１ｅに向かって伸びて指掛け部５１ｅを貫通する。このため、操作用シャフト５２はピン部材５４を設けたまま、シリンジ５１内に押し込むことで、シリンジ５１内に組み付けることができる。また、本実施形態では、図１に示すように、第１押込み経路５５ａを形作るシリンジ５１の両側縁に２つの隆起部５５ｐ1が設けられている。隆起部５５ｐ1の間は狭隘路を形成する。これにより、操作用シャフト５２を押し込んだとき、ピン部材５４が隆起部５５ｐ1の間を乗り越えることで、ピン部材５４を第１押込み経路５５ａ内から抜けないように固定保持することができる。なお、隆起部５５ｐ1は、第１押込み経路５５ａを形作るシリンジ５１の両側縁のいずれか一方のみに設けることができる。
【００２０】
第１押込み経路５５ａは、迂回経路５５ｂに通じる。迂回経路５５ｂは、軸線Ｏ周りに伸びることで、操作用シャフト５２とともにピン部材５４を軸線Ｏ周りに回転させることができる。本実施形態では、クランク５５は、第１押込み経路５５ａと迂回経路５５ｂとの間に、第１押込み経路５５ａの突き当て部（終点）５５ｅ1を有する。突き当て部５５ｅ1は、迂回経路５５ｂに対して第１押込み経路５５ａを僅かに延長することで、ピン部材５４を解除可能に引っ掛けることができる。また、突き当て部５５ｅ1と迂回経路５５ｂとの間には、隆起部５５ｐ2が設けられている。ピン部材５４は、突き当て部５５ｅ1から隆起部５５ｐ2を乗り越えることで迂回経路５５ｂに移動させることができる。
【００２１】
さらに迂回経路５５ｂは、第２押込み経路５５ｃに通じる。第２押込み経路５５ｃは、迂回経路５５ｂから軸線Ｏに沿って伸びることで、操作用シャフト５２の押し込みを可能にする。
【００２２】
本実施形態では、クランク５５は、第１押込み経路５５ａ、迂回経路５５ｂおよび第２押込み経路５５ｃで構成することで、操作用シャフト５２を２段階に押し込むことができる。ただし、本発明に従えば、クランク５５は、迂回経路および押込み経路を追加することにより、操作用シャフト５２を三段階以上に押し込むことも可能である。
【００２３】
操作部５０は、上述のように操作器具として構成される一方、噴出部１０は、噴出ノズルとして機能する。
【００２４】
噴出部１０は、図２に示すように、シリンジ５１の先端筒部５１ｃに装着される外筒部１１を有する。外筒部１１は、先端部に噴出口１ａを有する。一方、外筒部１１の後端部１１ｅは、シリンジ５１に装着される。外筒部１１の後端部１１ｅは、フランジ部を形成する。外筒部１１の後端部１１ｅは、ねじ部として機能し、シリンジ５１の装着筒部５１ｄの内側に形成されたねじ部５１ｓに取り外し可能に螺合する。これにより、噴出部１０は、図示のように、シリンジ５１に螺合させることで、操作部５０に装着させることができる。なお、本発明に従えば、外筒部１１とシリンジ５１との接続は、凹凸によるアンダーカット嵌合などの既存の手段を選択することができる。
【００２５】
また噴出部１０は、外筒部１１の内側に配置される内筒部１２を有する。外筒部１１の内側には、図３（ａ）に示すように、軸線Ｏ周りを周回する環状の凸部１１ａが設けられている。内筒部１２は、凸部１１ａによって保持固定されている。加えて、外筒部１１の内側には、内筒部１２との間にスピンエレメント１３が配置されている。スピンエレメント１３は、円柱状の大径部１３ａと、この大径部１３ａよりも径の小さな小径部１３ｂで形成されている。大径部１３ａの外周面は、外筒部１１の内周面を液密な状態のままスライドできる。また大径部１３ａの端面は、外筒部１１の前端内側に突き当てることができる。小径部１３ｂは、大径部１３ａから内筒部１２の前端に向かって突出する。また小径部１３ｂは、内筒部１２に挿入されることで、内筒部１２との間に、充填空間Ｓに通じる内部通路ｒ0を形成する。
【００２６】
加えて、小径部１３ｂには、弾性弁１４が設けられている。小径部１３ｂには、図３（ｂ）に示すように、軸線Ｏ周りに周回する環状溝１３ｇが形成されている。環状溝１３ｇには、弾性弁１４が嵌合保持されている。弾性弁１４は、変形および復元が可能な樹脂からなる。弾性弁１４は、基部１４ａに形成された開口部内縁を環状溝１３ｇに嵌合させることで固定されている。これにより、弾性弁１４は、図示のように、スピンエレメント１３に近接する位置に配置される。
【００２７】
弾性弁１４は、図３（ｂ）に示すように、基部１４ａから一体に拡径する円錐形の弁体１４ｂを有する。弁体１４ｂは、弾性弁１４がスピンエレメント１３に固定されることで、噴出口１ａに向かって拡径する。これにより、弾性弁１４は、内部通路ｒ0からの内容液Ｍの流通を可能にする一方、スピンエレメント１３の大径部１３ａからの内容液Ｍの逆流を阻止する。なお、本実施形態では、外筒部１１の内側に、軸線Ｏ周りを周回する環状の隆起部１１ｐが設けられており、スピンエレメント１３の大径部１３ａが抜けないように固定保持する。
【００２８】
さらに、内筒部１２の後端側には、図３（ａ）に示すように、プランジャ１５が配置されている。プランジャ１５は、内筒部１２の内周面を液密な状態のままスライドさせることができる。プランジャ１５は、弾性弁１４とともに、外筒部１１および内筒部１２の内側に、内容液Ｍの充填空間Ｓを形成する。すなわち、本実施形態では、噴出部１０は、外筒部１１、内筒部１２、スピンエレメント１３、弾性弁１４およびプランジャ１５で構成されている。
【００２９】
なお、本実施形態では、内筒部１２の下端部（以下、「内筒下端部」という）１２ｂを、軸線Ｏ周りに周回する突起部に形成している。加えて、外筒部１１の内側には、軸線Ｏ周りを周回する段差（以下、「外筒段差」という）１１ｓが形成されている。外筒段差１１ｓと内筒下端部１２ｂは、互いに接触することにより、外筒部１１に対する内筒部１２の挿入量を制限する。本実施形態では、図示のように、スピンエレメント１３の小径部１３ｂが内筒部１２の前端に収納されるように設定されている。
【００３０】
本実施形態では、スピンエレメント１３の大径部１３ａの側面には、図５に示すように、軸線Ｏ周りに間隔を置いて３箇所に、３つの溝が形成されている。この溝はそれぞれ、大径部１３ａと小径部１３ｂとの間の段差面を径方向に伸びる第１条溝１３ｃ1と、この第１条溝１３ｃ1に繋がり、軸線Ｏに沿って伸びるとともに大径部１３ａ側の端面を切り欠く第２条溝１３ｃ2で形成されている。また大径部１３ａ側の端面には、各々の第２条溝１３ｃ2に繋がる旋回溝１３ｓが形成されている。３つの旋回溝１３ｓはそれぞれ、第２条溝１３ｃ2から軸線Ｏ周りを旋回しながら軸線Ｏに向かって伸びる。これにより、３つの旋回溝１３ｓは、大径部１３ａ側の端面で合流することにより円筒形の合流部１３ｄを形成する。加えて、本実施形態では、大径部１３ａ側の端面の外縁を切り欠いて、軸線Ｏ周りを周回する環状の切り欠き１３ｃ3が形成されている。
【００３１】
すなわち、外筒部１１の内側に、内筒部１２とともにスピンエレメント１３を組み込むと、外筒部１１と内筒部１２との間には、図３（ｂ）に示すように、内容液Ｍの充填空間Ｓに通じる３つの導入路ｒ1（１３ｃ1および１３ｃ2）とともに、各々の導入路ｒ1に通じる３つの旋回流路ｒ2（１３ｓ）と、これらの旋回流路ｒ2を噴出口１ａに通じさせる合流路ｒ3（１３ｄ）が形成される。とくに本実施形態では、導入路ｒ1と旋回流路ｒ2との接続部分はそれぞれ、環状流路ｒ4（１３ｃ3）によって環状に接続されている。
【００３２】
なお、導入路ｒ1と旋回流路ｒ2とは軸線Ｏ周りにオフセットして配置させることで、環状流路ｒ4を導入路ｒ1と旋回流路ｒ2との間を接続する迂回流路とすることもできる。また、導入路ｒ1の個数は、旋回流路ｒ2に対応させることなく、少なくとも１つとすることができる。
【００３３】
次に、図面を参照して、定量噴出容器１の使用方法を説明する。
【００３４】
使用者は先ず、図１に示す状態で、人差し指と中指を指掛け部５１ｅに掛けて操作用シャフト５２を押し込む。すると、操作用シャフト５２のピン部材５４が第１押込み経路５５ａに沿って移動することで、操作用シャフト５２の押し込みが可能になる。すなわち、ピン部材５４は、図８（ａ）に示す状態Ａから、ピン部材５４が第１押込み経路５５ａの突き当て部５５ｅ1に接触する状態Ｂまで、ストロークＬ1の距離だけ、操作用シャフト５２の押し込みを可能にする。
【００３５】
定量噴出容器１では、操作用シャフト５２を押し込んだとき、噴出部１０の外筒部１１に内蔵された弾性弁１４の弁体１４ｂは、図３（ａ）に示すように、内容液Ｍが一定の圧力に達するまで開放されることがない。このため、内容液Ｍは、弁体１４ｂが開放されるまで、弾性弁１４とプランジャ１５との間で圧縮される。弁体１４ｂは、内容液Ｍの圧力に対して自己の弾性力によって外筒部１１の内周面を密閉する一方、内容液Ｍの圧力が弾性力を上回ると、その弾性力に抗して開放される。弁体１４ｂが内容液Ｍの圧力によって開放されると、図４に示すように、内容液Ｍは一気に、スピンエレメント１３に押し出される。これにより、弾性弁１４は、噴出部１０に充填した内容液Ｍを一定の圧力まで圧縮したのち、それを一気に開放させることで、内容液Ｍを勢いよくスピンエレメント１３に送り出すことができる。
【００３６】
次いで、勢いよく押し出された内容液Ｍは、図４の白抜き矢印で示すように、スピンエレメント１３に形成された旋回流路ｒ2を通って回転力を得たのち、合流路ｒ3で攪拌される。すなわち、使用者が操作用シャフト５２を押し込むことで、噴出部１０の充填空間Ｓからは、図４の白抜き矢印で示すように、スピンエレメント１３を通してより大きな回転力（旋回流）を与えられた内容液Ｍが噴出口１ａに押し出される。これにより、噴出口１ａからは、ピン部材５４が第１押込み経路５５ａの突き当て部５５ｅ1に接触するまで、一定量の内容液Ｍを一定の状態を保ちつつ霧状（比較的大きな粒子で飛散させる状態を含む）に噴出させることができる。
【００３７】
ピン部材５４が突き当て部５５ｅ1に接触すると、操作用シャフト５２を押し込むことができなくなるので、充填空間Ｓに内容液Ｍを残した状態で１回目の噴出は終了する。この時点での充填空間Ｓの容量は、使用目的に応じて適宜選択できるが、例えば、噴出開始前の充填空間Ｓの容量の半分とする。
【００３８】
次いで、ピン部材５４を用いて操作用シャフト５２を軸線Ｏ周りに回転させると、ピン部材５４が突き当て部５５ｅ1から隆起部５５ｐ2を乗り越えることで図８（ａ）に示す状態Ｂから迂回経路５５ｂに位置する状態Ｃまで移動する。すなわち、ピン部材５４は、状態Ｃに移動することで、第２押込み経路５５ｃの突き当て部（終点）５５ｅ2に接触する状態Ｄまで、ストロークＬ2の距離だけ、操作用シャフト５２の押し込みを可能にする。このように、操作用シャフト５２を押し込んで内容液Ｍの１回目の噴出を行ったのち、操作用シャフト５２を回転させて再び操作用シャフト５２を押し込めば、充填空間Ｓ内に残った内容液Ｍの２回目の噴出を１回目と同様に行うことができる。
【００３９】
このように、本発明に従う定量噴出容器１では、ピン部材５４を軸線Ｏ周りに回転させて押し込むだけで、少量の内容液を一定の状態を保ちつつ小分けにして、霧状に噴出させることができる。なお本実施形態では、充填空間Ｓが弾性弁１４とプランジャ１５で密封されているため、噴出部１０をカートリッジとして用いることができる。
【００４０】
また、本発明に従う定量噴出容器１では、内容液Ｍを噴出部１０に充填することで、内容液Ｍを噴出させるための操作部５０を別構成とすることができる。このため、操作部５０を小型化させることなく、内容液Ｍが充填される噴出部１０のみを小型化することができる。従って、本発明に従う定量噴出容器１は、操作性を損なうことなく、内容液Ｍを少量だけ噴霧させたい場合に有効である。
【００４１】
本実施形態に係る噴出部１０は、内筒部１２の下端をプランジャ１５で密閉する。このため、内筒部１２は、内筒下端部１２ｂを接地した状態で内筒部１２の上側（スピンエレメント１３側）から内容液Ｍを充填することができる。内容液Ｍを充填したのちは、弾性弁１４を有するスピンエレメント１３とともに外筒部１１を組み付けることで、噴出部１０を形成できる。このため、本実施形態に係る噴出部１０によれば、内容液Ｍの充填を容易に行うことができる。
【００４２】
図６および図７には、本発明の第２の実施形態である、定量噴出容器２を示す。本発明に従えば、クランク５５の変形例として、図６に示すものを採用することができる。図６に示すクランク５５は、第１押込み経路５５ａを指掛け部５１ｅに貫通させることなく、シリンジ５１の胴部５１ａに形成されたものである。本例では、クランク５５は、図示のように軸線Ｏ方向の両端で閉じられている。クランク５５を貫通するピン部材５４は図７に示すように、操作用シャフト５２に対して別体として設けられている。このようにピン部材５４が貫通するクランク５５が閉じられている場合、第１押込み経路５５ａの両側縁に設けた２つの隆起部５５ｐ1を省略することができる。ピン部材５４とクランク５５との動作時の関係は、図８（ｂ）に示すように第１の実施形態と同様である。
【００４３】
また、本発明に従えば、クランク５５の他の変形例として、図８（ｃ）に示すものを採用することができる。図８（ｃ）に示すクランク５５は、図８（ｂ）の変形例であり、第１押込み経路５５ａおよび第２押込み経路５５ｃの押込み開始側にそれぞれ、弾性片を設けたものである。
【００４４】
本実施形態では、第１押込み経路５５ａを形作るシリンジ５１の両側縁の操作用シャフト５２の押込み開始側にはそれぞれ、２つの隆起部５５ｐ3が設けられている。２つの隆起部５５ｐ3は、ピン部材５４を第１押込み経路５５ａの押込み開始側に位置決めする。加えて、２つの隆起部５５ｐ3の一方には、この隆起部５５ｐ1に沿って切り欠き５５ｓが形成されている。これにより、切り欠き５５ｓが形成された隆起部５５ｐ3はピン部材５４が乗り越え可能に引っ掛かる弾性片として構成される。すなわち、隆起部５５ｐ3の一方は、第１押込み経路５５ａの始端（始点）５５ａ1と切り欠き５５ｓの始端（始点）５５ｓ1との間を基点に変形および復元が可能な弾性片として機能する。弾性片は、ピン部材５４が乗り越え可能に引っ掛かる。
【００４５】
隆起部５５ｐ3を弾性片として機能させたことで、ピン部材５４は、操作用シャフト５２が一定の力以上に押込まれるまで、２つの隆起部５５ｐ3の間に位置決めされる一方、操作用シャフト５２が一定の力以上に押込まれると、一方の隆起部５５ｐ3の弾性変形により、２つの隆起部５５ｐ3の間を乗り越えることで、内容液Ｍを勢いよく弾性弁１４に送り出すことができる。すなわち、隆起部５５ｐ3を弾性片として機能させれば、弾性弁１４と同様の蓄圧機能を付与することができるとともに、予期せぬ操作用シャフト５２の押し込みに伴う、誤作動を防止することができる。
【００４６】
本実施形態では、第２押込み経路５５ｃを形作るシリンジ５１の両側縁の操作用シャフト５２の押込み開始側にはそれぞれ、２つの隆起部５５ｐ4が設けられている。２つの隆起部５５ｐ4は、ピン部材５４を第２押込み経路５５ｃの押込み開始側に位置決めする。本実施形態では、一方の隆起部５５ｐ4を突き当て部５５ｅ1と迂回経路５５ｂとの間に設けている。この隆起部５５ｐ4は図示のように、突き当て部５５ｅ1から操作用シャフト５２の押し込み方向とは逆方向に突出することで、突き当て部５５ｅ1に配置されたピン部材５４の中心と隆起部５５ｐ4の突端との間の軸線Ｏ方向の長さΔＬが確保される。長さΔＬは、ピン部材５４が第１押込み経路５５ａから迂回経路５５ｂを通って第２押込み経路５５ｃに移動することで２回目の噴出動作が行われるまでの遊びとして機能する。
【００４７】
これに対し、他方の隆起部５５ｐ4は、第２押込み経路５５ｃの押込み開始側に設けられている。加えて、第２押込み経路５５ｃ側の隆起部５５ｐ4には、この隆起部５５ｐ4に沿って切り欠き５５ｓが形成されている。これにより、切り欠き５５ｓが形成された隆起部５５ｐ4は弾性片として構成される。すなわち、隆起部５５ｐ4の一方は、第２押込み経路５５ｃの始端（始点）５５ｃ1と切り欠き５５ｓの始端（始点）５５ｓ1との間を基点に変形および復元が可能な弾性片として機能する。弾性片は、ピン部材５４が乗り越え可能に引っ掛かる。
【００４８】
ピン部材５４は、操作用シャフト５２が一定の力以上に押込まれるまで、２つの隆起部５５ｐ4の間に位置決めされる一方、操作用シャフト５２が一定の力以上に押込まれると、一方の隆起部５５ｐ4の弾性変形により、２つの隆起部５５ｐ4の間を乗り越えることで、内容液Ｍを勢いよく弾性弁１４に送り出すこともできる。すなわち弾性片として構成した隆起部５５ｐ4についても、弾性片として構成した隆起部５５ｐ3と同様の機能を発揮する。
【００４９】
さらにクランク５５は迂回経路５５ｂに、傾斜部５５ｆを有する。傾斜部５５ｆはピン部材５４を第１押込み経路５５ａに案内する。傾斜部５５ｆは周方向（軸線Ｏ周り）に、第１押込み経路５５ａに向かうに従って操作用シャフト５２の押し込み方向と逆方向に傾斜する。本実施形態では、傾斜部５５ｆは第２押込み経路５５ｃの始端５５ｃ1と一体に形成されている。迂回経路５５ｂに傾斜部５５ｆを設けた場合、操作用シャフト５２を引っ張って初期位置まで戻すときに操作が容易である。
【００５０】
また、隆起部５５ｐ3および隆起部５５ｐ4は、第１および第２実施形態に係るクランク５５に適用することもできる。例えば、図８（ｄ）は、本発明の第４実施形態に係るクランク５５として、本発明の第３実施形態に係るクランク５５に、切り欠き５５ｓを形成することなく、隆起部５５ｐ3および隆起部５５ｐ4を適用した第２実施形態の変形例である。このように、隆起部５５ｐ3および隆起部５５ｐ4はそれぞれ、それ単体であっても、ピン部材５４が乗り越え可能に引っ掛かることで、弾性弁１４と同様の蓄圧機能を付与できるとともに、予期せぬ操作用シャフト５２の押し込みに伴う、誤作動を防止することができる。
【００５１】
ところで、本発明の第２実施形態に係るピン部材５４は上述したとおり、操作用シャフト５２に対して別体に設けられたものである。本実施形態では、ピン部材５４は図９（ａ）に示すように、操作用シャフト５２に設けた固定部５２ｃ（図７参照）に凹部５２ｎを形成し、この凹部５２ｎに嵌合保持されている。一方、図９（ｂ）に示すピン部材５４は、ピン部材５４の変形例である。このピン部材５４の先端には、使用者が指を添えるための指当て部５６が設けられている。指当て部５６は、例えば図示のように外表面が湾曲する平板部材として形成されている。指当て部５６は、クランク５５から露出するピン部材５４の先端に設けられることで、指への当たりを和らげることができる。
【００５２】
上述したところは、本発明の一形態を示したにすぎず、特許請求の範囲において、種々の変更を加えることができる。例えば、本発明によれば、噴出部１０は、操作部５０に対して取り外せないように構成することも可能である。また、本発明によれば、メッシュリングを装着して、内容液Ｍを泡状に噴出させることもできる。また各実施形態に採用された構成はそれぞれ、適宜他の実施形態に組み合わせることもできる。
【産業上の利用可能性】
【００５３】
本発明の定量シリンジ型噴出容器は、内容液の噴出を目的とした噴出容器であれば、様々なものに適用することができる。また、内容液の種類についても、限定されない。
【符号の説明】
【００５４】
１      定量シリンジ型噴出容器（第１実施形態）
１ａ    噴出口
２      定量シリンジ型噴出容器（第２実施形態）
１０    噴出部
１１    外筒部
１２    内筒部
１３    スピンエレメント
１３ａ  大径部
１３ｂ  小径部
１３ｃ1 第１条溝
１３ｃ2 第２条溝
１３ｃ3 切り欠き
１３ｄ  合流部
１３ｓ  旋回溝
１４    弾性弁
１５    プランジャ
５０    操作部
５１    シリンジ
５１ａ  胴部
５１ｂ  肩部
５１ｃ  先端筒部
５１ｄ  装着筒部
５２    操作用シャフト
５２ｃ  固定部
５２ｎ  凹部
５３    プランジャロッド
５４    ピン部材
５５    クランク
５５ａ  第１押込み経路
５５ａ1 第１押込み経路始端
５５ｅ1 第１押込み経路の突き当て部
５５ｅ2 第２押込み経路の突き当て部
５５ｂ  迂回経路
５５ｃ  第２押込み経路
５５ｐ1 隆起部
５５ｐ2 隆起部
５５ｐ3 隆起部（弾性片）
５５ｐ4 隆起部（弾性片）
５５ｓ  切り欠き
５５ｓ1 切り欠き始端
５６    指当て部
ｒ1     導入路
ｒ2     旋回流路
ｒ3     合流路
ｒ4     環状流路
Ｓ      充填空間
【図１】
2014129130.tif 000003
【図２】
2014129130.tif 000004
【図３】
2014129130.tif 000005
【図４】
2014129130.tif 000006
【図５】
2014129130.tif 000007
【図６】
2014129130.tif 000008
【図７】
2014129130.tif 000009
【図８】
2014129130.tif 000010
【図９】
2014129130.tif 000011